(57)【要約】 【課題】天然繊維による低刺激でソフトな肌触りを持ちながらも、合成繊維製タオルと同程度の優れた起泡性と乾燥性と軽量性とを確保できる体洗浄用タオルの提供。【解決手段】体洗浄用タオルにおいて、綿糸を主体として構成された芯糸のトーションレース編みで編成された編み地からなる帯状の本体を備え、前記芯糸は、５０ｗｔ％以上の綿糸と、２０ｗｔ％以上の異形断面フィラメント複数本からなる合成繊維糸と、を含むものとした。【選択図】      図１
0003160179.tif 000002
【実用新案登録請求の範囲】
【請求項１】
綿糸を主体として構成された芯糸のトーションレース編みで編成された編み地からなる帯状の本体を備え、
前記芯糸は、５０ｗｔ％以上の綿糸と、２０ｗｔ％以上の異形断面フィラメント複数本からなる合成繊維糸と、を含むことを特徴とする体洗浄用タオル。
【請求項２】
前記本体の編み地は、ポリアミド系合成繊維ウーリー糸からなる柄糸が、芯糸に対して１５％以下の割合で部分的に編み込まれていることを特徴とする請求項１又は２に記載の体洗浄用タオル。
【請求項３】
前記柄糸は、ポリアミドに対してポリビニルピロリドンを３〜１５ｗｔ％の量で含有するポリアミドマルチフィラメントであることを特徴とする請求項２に記載の体洗浄用タオル。
【請求項４】
前記芯糸は、銀のラメ糸を含むことを特徴とする請求項１〜３のいずれか１項に記載の体洗浄用タオル。
【請求項５】
前記本体の長尺方向両端辺に、該本体と同種の芯糸で別体に編成されたトーションレース編み地からなる縁部が取りつけられていることを特徴とする請求項１〜４のいずれか１項に記載の体洗浄用タオル。
【請求項６】
前記芯糸を構成する綿糸は、多孔質セラミック微粒子を含有することを特徴とする請求項１〜５のいずれか１項に記載の体洗浄用タオル。
【考案の詳細な説明】
【技術分野】
【０００１】
本考案は、入浴時に用いる体洗浄用タオルに関するものである。
【背景技術】
【０００２】
近年、体洗浄用タオルとして、一般名ナイロンで知られるポリアミド系合成繊維やポリエステル等の合繊繊維をゴム編み等の伸縮性を付与する編み方で編成してなるものが普及している（例えば、特許文献１参照）。このような合成繊維製タオルは、吸水性に優れている一般的なパイル地の綿タオルを体洗浄に使用すると、浴用石けんの泡立ち（起泡性）が悪くまた水分吸収により重くなって取り扱いづらいだけでなく使用後に乾燥し難いという問題があることから、体洗浄専用に起泡性と乾燥性に優れた軽量のタオルが求められた結果として製作、市販されてきたものである。
【先行技術文献】
【特許文献】
【０００３】
【特許文献１】特開２００４−２３６６９２号公報
【考案の概要】
【考案が解決しようとする課題】
【０００４】
しかしながら、合成繊維は摩擦時の刺激が強く、特に女性など皮膚が比較的薄く柔らかい人や敏感肌の人には刺激過多で使用に耐えない場合が多い。このような使用者には、体洗浄用タオルに天然繊維の持つ低刺激でソフトな肌触りが望まれている。しかし同時に、体洗浄専用のタオルは、使用後も浴室内に掛け置かれ、長期に亘ってこの状態が続くことから、菌の増殖を抑えるためにも速乾性は強く望まれる。
【０００５】
本考案の目的は、上記問題点に鑑み、天然繊維による低刺激でソフトな肌触りを持ちながらも、合成繊維製タオルと同程度の優れた起泡性と乾燥性と軽量性とを確保できる体洗浄用タオルを提供することにある。
【課題を解決するための手段】
【０００６】
上記目的を達成するため、請求項１に記載の考案に係る体洗浄用タオルは、綿糸を主体として構成された芯糸のトーションレース編みで編成された編み地からなる帯状の本体を備え、
前記芯糸は、５０ｗｔ％以上の綿糸と、２０ｗｔ％以上の異形断面フィラメント複数本からなる合成繊維糸とを含むものである。
【０００７】
請求項２に記載の考案に係る体洗浄用タオルは、請求項１に記載の体洗浄用タオルにおいて、前記本体の編み地は、ポリアミド系合成繊維ウーリー糸からなる柄糸が、芯糸に対して１５％以下の割合で部分的に編み込まれているものである。
【０００８】
請求項３に記載の考案に係る体洗浄用タオルは、請求項２に記載の体洗浄用タオルにおいて、前記柄糸は、ポリアミドに対してポリビニルピロリドンを３〜１５ｗｔ％の割合で含有するポリアミドマルチフィラメントであることを特徴とする。
【０００９】
請求項４に記載の考案に係る体洗浄用タオルは、請求項１〜３のいずれか１項に記載の体洗浄用タオルにおいて、前記芯糸は、銀のラメ糸を含むことを特徴とする。
【００１０】
請求項５に記載の考案に係る体洗浄用タオルは、請求項１〜４のいずれか１項に記載の体洗浄用タオルにおいて、前記本体の長尺方向両端辺に、該本体と同種の芯糸で別体に編成されたトーションレース編み地からなる縁部が取りつけられているものである。
【００１１】
請求項６に記載の考案に係る体洗浄用タオルは、請求項１〜５のいずれか１項に記載の体洗浄用タオルにおいて、前記芯糸を構成する綿糸は、多孔質セラミック微粒子を含有するものである。
【考案の効果】
【００１２】
本考案による体洗浄用タオルでは、本体が、綿糸を主体として構成された芯糸をトーションレース編みで編成した編み地からなるものであり、芯糸が５０ｗｔ％以上の綿糸と２０ｗｔ％以上の異形断面マルチフィラメントからなる合成繊維糸とを含むものであるため、全体的な感触は綿のものであると同時に網目状のトーションレース編み地が一般的なパイル地の綿タオルに比べて組織が疎であり、加えて異形断面マルチフィラメント合成繊維糸の毛細管現象と繊維表面積の増大効果による吸水速乾性が付与されることから、肌触りは綿の低刺激でソフトなものでありながら、吸水量も少なく非常に軽量であると共に優れた起泡性を持ち、乾燥性に優れたものとなるという効果がある。
【図面の簡単な説明】
【００１３】
【図１】本考案の一実施例による体洗浄用タオルを示す写真であり、（ａ）はタオル全体を示す写真、（ｂ）はタオルの縁部分を示す写真である。
【図２】図１のタオルの本体部分を拡大した平面模式図である。
【考案を実施するための形態】
【００１４】
本考案の体洗浄用タオルにおいては、本体が、綿糸を主体として構成された芯糸をトーションレース編みで編成した編み地からなるものであり、芯糸を、単位長さ当たりの重量組成比で５０ｗｔ％以上の綿糸と２０ｗｔ％以上の合成繊維糸とを含むものとしたため、全体的な感触は綿のものとなって肌触りは低刺激でソフトでありながら、芯糸に適度に合成繊維糸を含み、加えて編み地が全体的にトーションレース編み特有の網目状であることから、一般的なパイル地の綿タオルに比べて、組織が疎で吸水量も少なく非常に軽量であると同時に乾燥性に優れたタオル本体を構成する。さらに、網目状の編み地は、浴用石けんの泡立て時の揉み込みにより多くの空気が取り込まれ、結果として優れた起泡性も得られる。
【００１５】
トーションレース編みは、糸同士を交錯させながら編組されるものであるため、ある程度以上の太さを持つ組糸を用いることで、編み地に若干の立体感を持たせることができ、しかもシンプルな網目状パターンに加え、レースの図柄により、組織の密な部分を任意に分布させることができるため、使用時の皮膚接触領域も適度に確保でき、装飾性を付与しながら泡の保持性と洗浄効果も高めることができる。
【００１６】
また、芯糸には、それぞれ単糸断面形状が異形断面であるフィラメント複数本（マルチフィラメント）からなる合成繊維糸が２０ｗｔ％以上の割合で含まれるため、タオル本体のさらなる軽量化と乾燥性の向上が図られる。すなわち、異形断面フィラメントでは、フィラメント間に長手方向に沿って管状に形成される隙間における毛細管現象と水分放出表面の増大効果により優れた吸水速乾性能が付加される。２０ｗｔ％より少ない含有割合では、異形断面マルチフィラメントの吸水速乾性効果が実質的に現れない。異形断面形状としては、三角形、五角形、星形等、特に限定されるものではないが、従来から用いられている異形断面繊維の製法で得られるもので良い。
【００１７】
なお、本考案で云う「トーションレース」とは、機械式のボビン・レースであり、トーションレース編み機により編成される。一般的なトーションレース編み機は、円形の編み機本体の円周上に、それぞれ予め調整された所定の撚糸が巻回されたボビンを複数立て、各ボビンが立てられているステップ状のスピンドルを互いに回転させ、位置を入れ替える駆動を行いながらボビンから引き出される撚糸同士を交錯させつつ編み機の中心に向かって絡めることで、帯状あるいは筒状に編み上げていくものである。この時、予め設計された組織図に従ってピンドル板の駆動を制御することによって、その組織図に応じた図柄が形成される。本考案における体洗浄用タオルの本体を構成するトーションレース編み地は、このような一般的なトーションレース編み機によって編成することができる。
【００１８】
近年、様々な機能が付与された糸が開発されている。そこで、芯糸以外に、柄糸として特殊機能を備えた糸を編み込むことでタオル本体の編み地にその機能を付加することができる。例えば、ポリアミド系合成繊維ウーリー糸が挙げられる。ウーリー糸は、ナイロンやポリエステル等の合成繊維をウール糸のようにふっくらと嵩高な伸縮性糸にテクスチャード加工したものである。従って、このウーリー糸を柄糸として用いることによって、合成繊維ながら柔らかな感触が得られるだけでなく、より細かな泡立ちが促進される。この場合、ポリアミド系合成繊維ウーリー糸からなる柄糸を芯糸に対して１５％以下の割合とすることで、タオル本体の綿の感触や乾燥性を阻害することはない。
【００１９】
実際には、トーションレース編み機での編成地に、ボビンを芯糸が券回されたものから柄糸が巻回されたボビンに置き換えることで該柄糸が本体編み地に部分的に編み込まれることになるため、タオル本体の重量変化の影響は問題ない。また、上記柄糸の割合は、芯糸ボビン数に対する柄糸ボビン数で容易に設定することができる。
【００２０】
この柄糸に用いる特殊機能を備えた糸としては、例えば、ポリアミドに対してポリビニルピロリドンを３〜１５ｗｔ％の量で含有するポリアミドマルチフィラメントが好ましい。これは、特定の割合でポリビニルピロリドン（以下、ＰＶＰと記す）を含有させることによって、ポリアミドマルチフィラメント、すなわちナイロン繊維に高い吸湿性とソフトな肌触りを与えたものであり、この繊維を柄糸として部分的に組み込むことにより、その特性を本体編み地に付与することができる。このポリアミドマルチフィラメントのＰＶＰ含有効果は、上記ウーリー加工の効果と相乗的に作用して、タオル本体により優れた起泡性と保持性の付与することができる。
【００２１】
なお、上記のＰＶＰ含有ポリアミドマルチフィラメントとしては、具体的に、東レ株式会社製の「ｑｕｕｐ（キュープ）」（商品名）が製品として入手でき、望ましい。これは、ＰＶＰを６ｗｔ％含有するナイロン繊維である。
【００２２】
本考案の芯糸には、さらにその他の機能を備えた糸を含有させても良い。例えば、銀のラメ糸を含有させるのが好ましい。これによって、銀による抗菌作用を、タオル本体を構成する編み地全体に付与することができる。
【００２３】
なお、本体編み地にタオルとしての強度をもたせるため、本体の長尺方向両端辺に別体の縁部を取りつけることが望ましい。この縁部は、本体の編み地より組織が密で堅い紐状の編み地であれば、全体的に柔らかい本体に対してタオルの帯形状を維持できる強度を付加できる。トーションレース編みであれば、設計を変更するだけで本体編み地と同種の芯糸でも固い紐状縁部を編成することができ、異なる種類の糸を用意する必要がない。
【００２４】
さらに、天然繊維にも様々な機能性を付加した特殊なものが開発されている。例えば、綿糸に、多孔質セラミック微粒子を含有させ、多孔質による毛細管現象と表面積の増大効果で綿糸にさらなる吸水性と乾燥性を付与したものが挙げられる。そこで、本考案の芯糸を構成する綿糸としてこのような特殊綿糸を採用することによって、タオル本体の吸水性と乾燥性のさらなる向上を図ることができる。もちろん、本考案では、この多孔質セラミック微粒子含有綿糸に限らず、天然の綿糸を主体としたものであれば、その他の有用な機能、手段が付与された様々な機能性綿糸を採用することが可能である。
【実施例】
【００２５】
本考案の一実施例によるトーションレース編み地からなる体洗浄用タオルを以下に示す。図１（ａ）はタオルの全体構成を示す写真であり、（ｂ）はタオルの縁部分を示す写真である。図２は、図１のタオルの本体部分を拡大した平面模式図である。
【００２６】
本実施例によるタオルは、全ボビン数が１２８本のトーションレース編み機により、約９６ｃｍ×１６ｃｍの帯状に編成されたトーションレース編み地からなる本体１と、本体の長尺方向両端部に、別体に編成された幅約２ｃｍのテープ状縁部１０を縫い付けて長さ約１ｍとしたものである。
【００２７】
実際のトーションレース編み機で編成される編み地は筒状であるが、ボビン１２８本のうち２本を抜き糸として予め設定しておき、編成後に該抜き糸を外すことで、筒状の編み地が縦一辺で分離して開き、帯状の本体１となる。本実施例では、本体編み地は、１２８本のボビンのうち１０６本を芯糸、１６本を柄糸とし、残り２本をあそび分として編成したものである。また、本体１の編み地は、組織が疎となる網目状のシンプルな編み地部分だけでなく、組織が密な部分が全体的に適度に分散されるようなレース柄で編成されている。
【００２８】
本実施例において、本体１を編成する芯糸２は、５０ｗｔ％の綿糸と３０ｗｔ％のナイロン異形断面糸と２０ｗｔ％のラメ糸で構成されたものである。具体的には、綿糸は双糸で４０番手（イギリス式綿番手、１ポンド（約４５３．６ｇ）当たりＸ×８４０ヤード（約７６８．１ｍ）でＸ番手換算）のもの、ナイロン糸はそれぞれ異形断面形状のフィラメント２４本からなる７０デニール（９０００ｍ当たりＸｇでＸデニール換算）のものとした。
【００２９】
ラメ糸は、ポリエステルやナイロン等の合成樹脂フィルムに、純銀を真空蒸着したものを、切幅２００切とした（フィルム幅１寸（約３０．３ｍｍ）から２００本切り出した）平糸を、ナイロンやポリエステルあるいはレーヨンなどの合成樹脂糸のマルチフィラメント５１デニールに撚り合わせたものを用いた。
【００３０】
また、柄糸３には、６ｗｔ％ＰＶＰ含有のポリアミドマルチフィラメント（ナイロン）からなるウーリー糸である東レ株式会社製の「ｑｕｕｐ（キュープ）：商品名）」を用いた。この柄糸３は、芯糸２に対して、ボビン数の比で１６本：１０８本の１４．８％、約１５％の割合で本体１に編み込まれるものである。
【００３１】
さらに、縁部１０は、本体１と同種の芯糸２で本体１の編み地より密な固い編み目でトーションレース編み機によりテープ状に編成したものである。この固いテープ状の縁部１０を本体１の長尺方向の両端辺に縫い付けることにより、該縁部１０が２辺の枠のように機能してタオル全面に長方形状を維持する強度を付与する。これによって、タオルを捩り絞ってから干す際に広げて長方形状に戻しやすい。
【００３２】
以上の構成を備えた本実施例による体洗浄用タオルでは、芯糸２の５０ｗｔ％が綿糸であるため、全体的な感触は綿による低刺激でソフトなものである。また柄糸３は合成繊維であってもＰＶＰ含有によりソフトな肌触りが付与され、しかもウーリー糸であるため感触は柔らかで綿糸の感触を阻害することはない。
【００３３】
さらに、全体的な網目状の構想に加え、芯糸２には異形断面マルチフィラメント糸が含まれるため、柄糸３のＰＶＰ含有ナイロン繊維と共に、タオル本体に優れた乾燥性と起泡性が付与されている。
【００３４】
以上の構成を備えた本実施例による体洗浄用タオルについて、実際の使用感と乾燥性を評価した。まず、使用感評価として、各パネラーに日常と同様の使用方法にて、本実施例によるタオルで浴用石けんを泡立てて体を洗浄してもらい、市販のナイロンタオル（１００％ナイロン）を対照として肌触りを評価してもらう官能試験を行った。評価は、１：対照より刺激が強く痛みを感じる，２：対照と同程度の刺激，３：対照より低刺激，４：対照よりソフト（痛みを感じない），５：非常にソフトで快い肌触り、の５段階評価とした。また、パネラーは男性４名、女性１１名の計１５名である。結果を以下の表１に示す。
【００３５】
【表１】
0003160179.tif 000003
【００３６】
表１の結果から、全てのパネラーが本実施例による体洗浄用タオルの肌触りを評価３（対照より低刺激）以上としており、最高評価５は全体の８０％であった。従って、市販の１００％ナイロンタオルに比較して、本実施例による体洗浄用タオルの優れた肌触りの良さが確認された。
【００３７】
次に、本実施例による体洗浄用タオルの乾燥性を、１００％ナイロンタオルと１００％綿タオルを対照とした乾燥試験により評価した。この乾燥試験は、各タオルについてまず未使用時の乾燥状態における重量を計測しておき、次に実際の使用と同様に、タオル全体に水を充分含ませた状態から手で捩り絞りし、重量を計測した後に、広げて垂直壁面に水平に支持されたバーに掛けて乾かし、経時的に重量を計測して乾燥率を求めたものである。
【００３８】
即ち、絞った後の計測値と使用前の計測値との差を使用直後の含水量とし、各経過時間毎の計測値から得られる含水量に基づいて、使用直後からの含水量の減少率をもとめ、これを乾燥率とした。なお、各タオルの手絞りは、同一人物によるもので、通常の使用と同様に、該人物における水滴が滴らない堅絞りを実行した。乾燥は、同一環境下で若干の時間差（数分程度）のみでほぼ同時期に開始した。結果を以下の表２に示す。
【００３９】
【表２】
0003160179.tif 000004
【００４０】
表２の結果から、ナイロンタオルは非常に乾燥性が高く、使用直後から９時間後には１００％乾燥しているが、一般的な綿タオルが同じ９時間後に１／３しか乾燥していないのに比べて、本実施例によるタオルは、綿糸が主体であるにもかかわらず、同じ９時間後には９５％も乾燥しており、ナイロンタオルに迫るような高い乾燥性を持つことが確認された。
【００４１】
このような本実施例の体洗浄用タオルでは、実際の使用において、ほぼ綿タオルに近い低刺激でソフトな肌触りでありながら、市販のナイロンタオルに近い優れた乾燥性が期待できる。従って、使用後に絞って水気を切った後に浴槽内で掛け置いただけで比較的短時間で良好に乾燥し、細菌が繁殖し難い衛生的に優れたものと言える。しかも一般的なパイル地の綿タオルに比べて、使用前状態はもちろん、濡らして全体を吸水状態としても格段に軽量で扱いやすい。また上記官能試験の際に、浴用石けんの泡立ち及びまたその泡持ちが一般の綿タオルに比べて格段に優れていることも確認された。
【００４２】
なお、以上の実施例で示した芯糸２を構成する通常の綿糸を、多孔質セラミック微粒子が含まれた機能性綿糸に代えたものを芯糸として、他は上記実施例と同様にトーションレース編み機により編成してなる体洗浄用タオルを得た場合、感触は通常の綿糸の場合とほとんど変化することなく、乾燥性が更に向上したものとなる。
【符号の説明】
【００４３】
１：タオル本体
２：芯糸
３：柄糸
１０：縁部
【図２】
0003160179.tif 000005
【図１】
0003160179.tif 000006
【手続補正書】
【提出日】平成22年4月1日(2010.4.1)
【手続補正１】
【補正対象書類名】実用新案登録請求の範囲
【補正対象項目名】請求項２
【補正方法】変更
【補正の内容】
【請求項２】
前記本体の編み地は、ポリアミド系合成繊維ウーリー糸からなる柄糸が、芯糸に対して１５％以下の割合で部分的に編み込まれていることを特徴とする請求項１に記載の体洗浄用タオル。